(57)【要約】      （修正有）【課題】マイクロコントロールユニット（ＭＣＵ）の知能化ＰＷＭ（パルス幅変調）制御可能な電圧電流式電池充電器を提供する。【解決手段】マイクロコントロールユニットが充電ループを有する充電保護ブロックに対応して二つのパルス幅変調可能なＰＷＭ（パルス幅変調）コントローラと互いに接合することにより、それぞれ変調を制御して異なる準位のＣ．Ｃ定電流値とＣ．Ｖ定電圧値を出力することにより、スイッチング電源供給器のフィードバック量を制御し、且つ一つの電流検出ブロック、一つの電圧検出ブロックと一つの温度保護ブロックが設けられ、マイクロコントロールユニットと互いに対応し、更に一つの充電保護ブロックと一つの遅延バッファ起動充電保護システムが互いに接合するように設けられ、マイクロコントロールユニットと互いに対応することにより、充電器は、全ての充電式電池の充電目的の適用を達成できる。【選択図】図１
0003153722.tif 000002
【実用新案登録請求の範囲】
【請求項１】
マイクロコントロールユニット（MCU）の知能化PWM（パルス幅変調）制御可能な電圧電流式電池充電器は、一つの電磁干渉フィルター，一つのブリッジ整流器，一つの変圧器と一つの整流器を含むスイッチング電源供給器を、主な構築と看做し、且つPWM（パルス幅変調）コントローラを有するマイクロコントロールユニット（MCU）と互いに対応して各タイプの充電式電池の充電用に供給できる充電器を構成し、該マイクロコントロールユニットが充電ループを有する充電保護ブロックに対応して二つのパルス幅変調可能なPWM（パルス幅変調）コントローラと互いに接合することにより、それぞれ変調を制御して異なる準位のC.C定電流値とC.V定電圧値を出力することにより、スイッチング電源供給器のフィードバック量を制御し、且つ一つの電流検出ブロック，一つの電圧検出ブロックと一つの温度保護ブロックが設けられ、マイクロコントロールユニットと互いに対応することにより、充電式電池の電圧値が高すぎるかどうか，充電式電池の電流が既に変態点に達して次の段階へ入って充電する必要があるかどうか及び充電器の温度が異常するかどうか等の数字データを、それぞれ検出し、且つマイクロコントロールユニットへ伝送し戻し、その中でも、マイクロコントロールユニットにて、充電保護ブロックがマイクロコントロールユニットにより送信された信号を持続的に受信でき、充電ループがON（オン）状態を呈するようにコマンドすることにより、充電器の電圧値が充電保護ブロックを経由して充電式電池に対して充電を行い、マイクロコントロールユニットが制御できない状態にある時に、信号を充電保護ブロックへ持続的に送信できないと、充電ループが即ちOFF（オフ）状態を呈し、ひいては充電ループの保護効果を達成し、且つマイクロコントロールユニットが持続的に高電位または低電位となって充電ループを駆動できなくてON（オン）状態を生成できないと、充電保護ブロックと一つの遅延バッファ起動充電保護システムが互いに接合し、マイクロコントロールユニットと互いに対応することにより、マイクロコントロールユニットが外部充電式電池の置き込みを検出した時に、つまり遅延バッファ起動充電保護システムが先ず遅延時間を起動して充電過程の安全を確保することを特徴とするマイクロコントロールユニット（MCU）の知能化PWM（パルス幅変調）制御可能な電圧電流式電池充電器。
【考案の詳細な説明】
【技術分野】
【０００１】
本考案は、「マイクロコントロールユニット（MCU）の知能化PWM（パルス幅変調）制御可能な電圧電流式電池充電器」に関するもので、マイクロコントロールユニット（MCU）を利用し、パルス幅変調（PWM）コントローラに対応し、異なる準位の電圧と電流を変調して生成でき、各タイプの充電式電池（鉛酸電池またはリチウム電池）に対して充電を行うことにより、新世代の電子ゲーム製品の需要に合致する。
【背景技術】
【０００２】
故に、目前に地球温暖化およびエネルギー不足で且つ需要と価格が高騰する時代に、省エネルギー・二酸化炭素の排出削減が近代的な科学技術の重大な成行きとなり、従って数多くの充電式電池を動力の出所とする新世代の電動スクーター，電動自転車および更なる大型の電気自動車が何れも気運に乗じて生まれ、日進月歩で新しくなる充電式電池の技術の下では、単一の充電器が多様化の充電式電池の充電仕様の需要を満たさないらしいであり、充電式電池がその最大の効果を発揮できない原因は、市場上の売買する充電器の大部分が適当な充電式電池を組み合わせてその他のタイプの充電式電池に合致できないのが多くなり、従って市場上では如何なる充電式電池を完全に組み合わせて開発できる充電器がないことにより、消費者の大部分が数多くの充電器を有することを招き、消費者の負担を引き起こすだけではなく、環境の負担も増加する。
【考案の概要】
【０００３】
本考案の主な目的は、マイクロコントロールユニット（MCU）の知能化PWM（パルス幅変調）制御可能な電圧電流式電池充電器を提供するもので、その充電器は、マイクロコントロールユニット（MCU）に一つのPWM（パルス幅変調）可能なPWM（パルス幅変調）コントローラが設けられ、且つ一つの温度保護ブロックと一つのスイッチング電源供給器が互いに対応するように接続・設定されることにより、マイクロコントロールユニットが全体の電気回路の動作を管理・制御でき、且つ信号を出力して二つのPWM（パルス幅変調）コントローラがそれぞれ充電器の出力電圧／電流を制御するようにコマンドすることにより、充電過程において、各種な充電式電池に対して電圧／電流の制御を行うことが出来、ひいては弾性化を更に有し、省エネルギー・環境保護の経済効果を達成する。
【図面の簡単な説明】
【０００４】
【図１】本考案の構築の模式図である。
【図２】本考案が鉛酸電池を使用して充電器に充電を行うフローチャート（一）である。
【図３】本考案が鉛酸電池を使用して充電器に充電を行うフローチャート（二）である。
【図４】本考案が鉛酸電池を使用して充電器に充電を行うフローチャート（三）である。
【図５】本考案が鉛酸電池を使用して充電器に充電を行う温度保護ブロックの充電のフローチャートである。
【考案を実施するための形態】
【０００５】
以下に図面に対応し、後述のように本考案の最も好ましい実施例を詳細に説明する。
【０００６】
例えば図１に示すのは、本考案の構築の模式図であるが、その充電器は、一つの電磁干渉フィルター（１１），一つのブリッジ整流器（１２），一つの変圧器（１３）と一つの整流器（１４）を含むスイッチング電源供給器（１０：Switching Power Supply、SPSと略称）を、主な構築と看做し、且つPWM（パルス幅変調）コントローラ（２１：PWM回路となり）を有するマイクロコントロールユニット（２０：Microcontroller Unit、MCU）と互いに対応して各タイプの充電式電池（３０：鉛酸電池，ニッケル水素電池，ニッケルカドミウム電池とリチウム電池などに設定できる）の状態を検出し、且つスイッチング電源供給器（１０）を制御して充電の条件を行い、該マイクロコントロールユニット（２０）が充電ループのオン可能な充電保護ブロック（２２）に対応し、且つ一つの電圧検出ブロック（２３），一つの電流検出ブロック（２４）と一つの温度保護ブロック（２５）を設け、マイクロコントロールユニット（２０）と互いに対応することにより、充電式電池（３０）の電圧値が高すぎるかどうか，充電式電池（３０）の電流が既に変態点に達して次の段階へ入って充電する必要があるかどうか及び充電器の温度が異常するかどうか等の数字データを、それぞれ検出し、且つマイクロコントロールユニット（２０）へ伝送し戻し、その中でも、マイクロコントロールユニット（２０）と二つのパルス幅変調可能なPWM（パルス幅変調）コントローラ（２１）が互いに接合することにより、それぞれ変調を制御して異なる準位のC.C定電流値（２１１）とC.V定電圧値（２１２）を出力することにより、スイッチング電源供給器（１０）のフィードバック量を制御し、PWM（パルス幅変調）コントローラ（２１）がスイッチング電源供給器（１０）の出力電圧を適当なC.C定電流値（２１１）とC.V定電圧値（２１２）に調整でき、余計なハードウェア素子を組み立てる必要がなく、応用または開発上にも関わらず、何れも弾力性と競争力を更に有し、該充電保護ブロック（２２）がマイクロコントロールユニット（２０）により送信されたクロック信号を持続的に受信することにより、充電ループがON（オン）状態を呈するようにコマンドし、充電器の電圧値が充電保護ブロック（２２）を経由して充電ループをオンし、且つ充電式電池（３０）に対して充電を行い、マイクロコントロールユニット（２０）が制御できない状態にあってクロック信号を充電保護ブロック（２２）へ持続的に送信できない時に、充電ループが即ちOFF（オフ）状態を呈し、ひいては充電ループの保護効果を達成し、且つマイクロコントロールユニット（２０）が持続的に高電位または低電位となっても充電保護ブロック（２２）を駆動できなくて充電ループをオンしてON（オン）状態を生成できないと、且つ充電保護ブロック（２２）に一つの遅延バッファ起動充電保護システム（２２１）が充電ループと互いに接合するように設けられ、マイクロコントロールユニット（２０）が充電式電池（３０）の置き込みを検出した時に、つまり遅延バッファ起動充電保護システム（２２１）が先ず約３秒間の遅延時間を起動することにより、充電式電池（３０）が充電器の接続ヘッドと緊密に接合することを確認した後に、充電のコマンドを行うことにより、ユーザーの使用上の安��を確保する。
【０００７】
例えば図２に示すように（同時に図３と図４を参照する）、これが本考案の鉛酸電池を使用して充電器に充電を行うフローチャートであるが、鉛酸電池にスイッチング電源供給器（１０）の充電器を置き込んで充電作業を行う時に、マイクロコントロールユニット（２０）がつまりパラメーターの初期化を行い始め、且つ校正の手続きを起動し、同時に全てのA／Dコンバータの電圧値を読み取り、且つ充電保護ブロック（２２）がマイクロコントロールユニット（２０）の持続的な高電位または低電位を読み取った時に、充電ループを駆動できなく、ON（オン）状態を生成することにより制御の保護機能を達成できなく、その後でマイクロコントロールユニット（２０）がクロック信号を持続的に送信すれば、充電保護ブロック（２２）がつまり充電ループをオンしてON（オン）状態を呈し、且つC.C定電流値（２１１）の充電の手続きに入り込み、鉛酸電池の電圧／電流値に基づいて充電中のflag（フラグ）設定の最大な充電時間を設定し、且つ遅延バッファ起動充電保護システム（２２１）を起動し、正常な状況下で充電を行い、同時にマイクロコントロールユニット（２０）の電圧検出ブロック（２３）と電流検出ブロック（２４）が先ず鉛酸電池の電圧／電流値を測定し且つPWM（パルス幅変調）コントローラ（２１）を変調して鉛酸電池（３０’）の電圧／電流値に合致するC.C定電流値（２１１）を出力し、充電を行い、電圧≧C.V定電圧値（２１２）となる時に、再びC.V定電圧値（２１２）の充電の手続きに入り込み、鉛酸電池の電圧＞フローティング電圧／電流≦ノイズ電流となる時に、つまり充電の手続きを完成するが、その中でも、例えば図５に示すように、充電の過程中で充電器の温度手続きに入り込み、温度保護ブロック（２５）を確保し、常温を維持できるが、これにより、マイクロコントロールユニット（２０）を利用して全体の電気回路の動作を制御・管理し、且つパルス幅変調コントローラ（２１）の有する変調電圧および電流出力制御の設計優位に対応し、伝統的な充電器はその充電式電池のみを組み合わせることが出来る欠点を解消し、各種な電動スクーター，電動自転車などの全ての充電式電池に適用される充電器を達成し、ひいては省エネルギー・省電力およびグリーン環境保護の効果を有し、更に充電式電池（３０）が充電前，充電中および充電後における保護制御を有することにより、使用の安全を確保する。  
【符号の説明】
【０００８】
１０  スイッチング電源供給器
１１  電磁干渉フィルター
１２  ブリッジ整流器
１３  変圧器
１４  整流器
２０  マイクロコントロールユニット（MCU）
２１  PWM（パルス幅変調）コントローラ
２２  充電保護ブロック
２３  電流検出ブロック
２４  電圧検出ブロック
２５  温度保護ブロック
３０  充電式電池
２１１  C.C定電流値
２１２  C.V定電圧値
２２１  遅延バッファ起動充電保護システム
【図１】
0003153722.tif 000003
【図２】
0003153722.tif 000004
【図３】
0003153722.tif 000005
【図４】
0003153722.tif 000006
【図５】
0003153722.tif 000007